(57)【要約】【課題】ふとん乾燥機において、ふとん乾燥むらを防止して自動停止を目的とする。【解決手段】本体２内の送風用のＤＣファンモータ６と、ＤＣファンモータ６の回転数を検知する回転数検知手段７と、ＤＣファンモータ６の回転数を変えるための回転数制御手段８と、送風を加熱して温風を供給する加熱手段９と、ＤＣファンモータ６の送風量や前記加熱手段９を制御する制御手段１０ａとを設け、制御手段１０ａは、加熱手段９による温風でふとん乾燥運転を開始すると、回転数検知手段７の情報によりＤＣファンモータ６の回転数を認識し、その回転数情報より予め記憶したＤＣファンモータ６の風量特性から送風量を推定して、ＤＣファンモータ６の回転数を制御して所定の風量にした後、その回転数が所定時間安定してから、ふとん乾燥運転の自動停止を制御するふとん乾燥機を得られる。【選択図】図１
2013215256.tif 000002
【特許請求の範囲】
【請求項１】
本体内に設けられた送風用のＤＣファンモータと、前記ＤＣファンモータの回転数を検知する回転数検知手段と、送風量を変えるために前記ＤＣファンモータの回転数を変えるための回転数制御手段と、前記ＤＣファンモータの送風を加熱して温風を供給する加熱手段と、前記ＤＣファンモータの送風量や前記加熱手段を制御する制御手段とを設け、前記制御手段は、前記加熱手段による温風でふとん乾燥運転を開始すると、前記回転数検知手段の情報により前記ＤＣファンモータの回転数を認識し、その回転数情報より予め記憶した前記ＤＣファンモータの風量特性から送風量を推定して、前記ＤＣファンモータの回転数を制御して所定の風量にした後、その回転数が所定時間安定してから、ふとん乾燥運転の自動停止を制御する構成としたふとん乾燥機。
【請求項２】
ふとん乾燥運転開始時に所定の時間は前記加熱手段を止め、前記ＤＣファンモータだけの送風運転をする制御手段とを設けた請求項１に記載のふとん乾燥機。
【請求項３】
前記回転数検知手段の情報により、予め記憶した前記ＤＣファンモータの風量特性から所定の風量以上の場合に、前記ＤＣファンモータの回転数を所定の回転数に制御する制御手段とを設けた請求項１または２に記載のふとん乾燥機。
【請求項４】
使用者に報知する報知手段と、前記回転数検知手段の情報により、予め記憶した前記ＤＣファンモータの風量特性から所定の風量以下の場合に、前記ＤＣファンモータの送風量が限界と判断し、前記報知手段により使用者に報知する制御手段とを設けた請求項１から３のいずれか一項に記載のふとん乾燥機。
【発明の詳細な説明】
【技術分野】
【０００１】
本発明は、温風や送風によるふとんの乾燥を自動停止するふとん乾燥機に関するものである。
【背景技術】
【０００２】
従来、この種のふとん乾燥機は、本体からの温風や送風を伸縮自在のホースに接続された乾燥マットにより、使用者が経験的な乾燥時間で設定したタイマー時間で運転をするものが知られ、センサー等により自動停止機能を設けたものもある（例えば、特許文献１参照）。
【０００３】
以下、そのふとん乾燥機について図７を参照しながら説明する。
【０００４】
図７に示すように、ふとん乾燥用の乾燥マット１０１と、この乾燥マットに接続される伸縮自在に設けられるホース１０２と、前記ホース１０２の先端部に前記乾燥マット１０１内の雰囲気を検知するセンサー１０３と、前記ホース１０２の他端に接続される本体１０４と、前記本体１０４内に設けられた送風用のファンモータ１０５と、前記ファンモータ１０５の送風を加熱して温風を供給する加熱手段１０６と、前記センサー１０３の信号で前記ファンモータ１０５と前記加熱手段１０６を制御する制御手段１０７とで構成される。
【０００５】
上記構成において、使用者がふとんの間に前記乾燥マット１０１を挿入し、ふとん乾燥運転を開始すると、前記制御手段１０７は前記ファンモータ１０５と前記加熱手段１０６を制御して、前記センサー１０３の信号でふとん乾燥の自動停止をおこなう。
【０００６】
近年、省エネのためにファンモータを商用電源で駆動するＡＣファンモータから直流電圧で駆動するＤＣファンモータにすることで、ファンモータの消費電力が軽減され、省エネの向上が期待できる。
【０００７】
また、ＤＣファンモータを搭載することで、ファンモータの回転数の可変が容易に制御可能となり、風量調整が容易に行えるメリットもある。
【先行技術文献】
【特許文献】
【０００８】
【特許文献１】特開平５−６８７８９号公報
【発明の概要】
【発明が解決しようとする課題】
【０００９】
このような従来のふとん乾燥機においては、ふとんや乾燥マットの取り付け状態によりファンモータの静圧が高くなり、送風量が不足して、乾燥マットが先端まで膨らまないため、ふとんの局所加熱が発生し易く、ふとんに乾燥むらが起こり易いため、タイマー運転での十分なふとん乾燥ができないという課題を有していた。
【００１０】
そこで本発明は、上記従来の課題を解決するものであり、乾燥マットを先端まで膨らませ、ふとんの局所加熱を減らすことでふとん乾燥むらを防止して、自動停止をするふとん乾燥機を提供することを目的とする。
【課題を解決するための手段】
【００１１】
そして、この目的を達成するために、本発明は、本体内に設けられた送風用のＤＣファンモータと、前記ＤＣファンモータの回転数を検知する回転数検知手段と、送風量を変えるために前記ＤＣファンモータの回転数を変えるための回転数制御手段と、前記ＤＣファンモータの送風を加熱して温風を供給する加熱手段と、前記ＤＣファンモータの送風量や前記加熱手段を制御する制御手段とを設け、前記制御手段は、前記加熱手段による温風でふとん乾燥運転を開始すると、前記回転数検知手段の情報により前記ＤＣファンモータの回転数を認識し、その回転数情報より予め記憶した前記ＤＣファンモータの風量特性から送風量を推定して、前記ＤＣファンモータの回転数を制御して所定の風量にした後、その回転数が所定時間安定してから、ふとん乾燥運転の自動停止を制御する構成としたものであり、これにより所期の目的を達成するものである。
【００１２】
また本発明はふとん乾燥運転開始時に所定の時間は前記加熱手段を止め、前記ＤＣファンモータだけの送風運転をする制御手段とした。
【００１３】
また本発明は前記回転数検知手段の情報により、予め記憶した前記ＤＣファンモータの風量特性から所定の風量以上の場合に、前記ＤＣファンモータの回転数を所定の回転数に制御する制御手段とした。
【００１４】
また本発明は使用者に報知する報知手段と、前記回転数検知手段の情報により、予め記憶した前記ＤＣファンモータの風量特性から所定の風量以下の場合に、前記ＤＣファンモータの送風量が限界と判断し、前記報知手段により使用者に報知する制御手段とした。
【発明の効果】
【００１５】
本発明によれば、本体内に設けられた送風用のＤＣファンモータと、前記ＤＣファンモータの回転数を検知する回転数検知手段と、送風量を変えるために前記ＤＣファンモータの回転数を変えるための回転数制御手段と、前記ＤＣファンモータの送風を加熱して温風を供給する加熱手段と、前記ＤＣファンモータの送風量や前記加熱手段を制御する制御手段とを設け、前記制御手段は、前記加熱手段による温風でふとん乾燥運転を開始すると、
前記回転数検知手段の情報により前記ＤＣファンモータの回転数を認識し、その回転数情報より予め記憶した前記ＤＣファンモータの風量特性から送風量を推定して、前記ＤＣファンモータの回転数を制御して所定の風量にした後、その回転数が所定時間安定してから、ふとん乾燥運転の自動停止を制御するという構成にしたことにより、前記ＤＣファンモータの風量特性から送風量を推定して、前記ＤＣファンモータの回転数を制御して所定の風量にした後、その回転数が所定時間安定してから、ふとん乾燥運転の自動停止となるので、ふとんの間に入れられた乾燥マットの先端まで膨らましてふとんの局所加熱を抑えて、ふとんの乾燥むらが起こりにくく、所定の温風量と時間で乾燥運転を自動停止することで無駄な乾燥運転を減らして省エネルギーになるという効果を得ることができる。
【図面の簡単な説明】
【００１６】
【図１】本発明の実施の形態１および２のふとん乾燥機の構成図
【図２】本発明の実施の形態１のファンモータの風量特性図
【図３】本発明の実施の形態１のファンモータの風量特性図
【図４】本発明の実施の形態１のファンモータの風量特性図
【図５】本発明の実施の形態３のファンモータの風量特性図
【図６】本発明の実施の形態４のファンモータの風量特性図
【図７】従来のふとん乾燥機の構成図
【発明を実施するための形態】
【００１７】
本発明の請求項１記載のふとん乾燥機は、本体内に設けられた送風用のＤＣファンモータと、前記ＤＣファンモータの回転数を検知する回転数検知手段と、送風量を変えるために前記ＤＣファンモータの回転数を変えるための回転数制御手段と、前記ＤＣファンモータの送風を加熱して温風を供給する加熱手段と、前記ＤＣファンモータの送風量や前記加熱手段を制御する制御手段とを設け、前記制御手段は、前記加熱手段による温風でふとん乾燥運転を開始すると、前記回転数検知手段の情報により前記ＤＣファンモータの回転数を認識し、その回転数情報より予め記憶した前記ＤＣファンモータの風量特性から送風量を推定して、前記ＤＣファンモータの回転数を制御して所定の風量にした後、その回転数が所定時間安定してから、ふとん乾燥運転の自動停止を制御するという構成を有する。
【００１８】
これにより、ふとん乾燥運転開始時には、前記制御手段は前記加熱手段と前記回転数制御手段により、前記ＤＣファンモータを回転させて所定の風量で温風運転する。
【００１９】
この時、前記制御手段は前記回転数検知手段の情報により前記ＤＣファンモータの回転数を認識し、その回転数情報より予め記憶した前記ＤＣファンモータの風量特性から送風量を推定する。
【００２０】
そして、所定の風量に達しない場合には、ふとんの重さで乾燥マットの先端まで温風がとどかず、ふとんの乾燥むらが発生し易いと判断して、前記制御手段は前記回転数制御手段により前記ＤＣファンモータの回転数を制御して風量を最大にすることで、乾燥マットの先端まで膨らますようにする。
【００２１】
その後、温風運転によりふとんが膨らみ、湿気が徐々に減ると、前記ＤＣファンモータの静圧も徐々に軽くなることで、その回転数が変化する。
【００２２】
前記制御手段は前記回転数検知手段により回転数の変化を認識し、その回転数が所定時間の安定を確認すると、送風量が安定したと判断する。
【００２３】
そして、所定の時間経過後はふとん乾燥運転が十分できたと判断して、運転を自動で停止させることになるので、ふとんの間に入れられた乾燥マットの先端まで膨らましてふとんの局所加熱を抑えて、ふとんの乾燥むらが起こりにくく、所定の温風量と時間で乾燥運転を自動停止することで無駄な乾燥運転も減らし、省エネになるという効果を奏する。
【００２４】
また、ふとん乾燥運転開始時に所定の時間は前記加熱手段を止め、前記ＤＣファンモータだけの送風運転をする制御手段とを設けるという構成にしてもよい。
【００２５】
これにより、ふとん乾燥運転での消費電力が最も大きい前記加熱手段を所定の時間止め、前記ＤＣファンモータだけの送風運転でふとん乾燥を所定の時間することになるので、さらなる省エネが可能になるという効果を奏する。
【００２６】
また、前記回転数検知手段の情報により、予め記憶した前記ＤＣファンモータの風量特性から所定の風量以上の場合に、前記ＤＣファンモータの回転数を所定の回転数に制御する制御手段とを設けるという構成にしてもよい。
【００２７】
これにより、前記制御手段は前記回転数検知手段の情報により、予め記憶した前記ＤＣファンモータの風量特性から所定の風量以上が出ていると推定し、これは前記ＤＣファンモータの静圧が軽い場合で、ふとんの間に入れられた乾燥マットがふとんから大きくはみ出た状態またはふとんが薄くて軽い状態が想定され、前記回転数制御手段により前記ＤＣファンモータの回転を所定の風量まで下げることになるので、所定風量以上でふとん乾燥すると、温風によりふとんの温度が上がり過ぎ、ふとんを傷めることの防止ができるという効果を奏する。
【００２８】
また、使用者に報知する報知手段と、前記回転数検知手段の情報により、予め記憶した前記ＤＣファンモータの風量特性から所定の風量以下の場合に、前記ＤＣファンモータの送風量が限界と判断し、前記報知手段により使用者に報知する制御手段とを設けるという構成にしてもよい。
【００２９】
これにより、前記制御手段は前記回転数検知手段の情報により、予め記憶した前記ＤＣファンモータの風量特性から所定の風量以下の場合には、前記ＤＣファンモータの送風量が限界と推定し、ふとん乾燥に必要な所定の風量が出ていないと判断して、前記報知手段により使用者に知らせることになるので、所定の温風量が確保できないことを使用者が認識し、使用者が再度乾燥マットやふとんの設定を見直すことで、所定の温風量を確保してふとん乾燥ができるという効果を奏する。
【００３０】
以下、本発明の実施の形態について図面を参照しながら説明する。
【００３１】
（実施の形態１）
図１に示すように、本実施の形態のふとん乾燥機１は、本体２から伸ばした伸縮自在ホース３を介してふとん４の間に挟んだ乾燥マット５へ空気もしくは温風を送り、ふとん４の乾燥をおこなうものである。
【００３２】
そして、ふとん乾燥機１は、本体２内に設けられた送風用のＤＣファンモータ６と、ＤＣファンモータ６の回転数を検知する回転数検知手段７と、送風量を変えるためにＤＣファンモータ６の回転数を変えるための回転数制御手段８と、前記ＤＣファンモータ６の送風を加熱して温風を供給する加熱手段９と、前記ＤＣファンモータ６の送風量や前記加熱手段９を制御する制御手段１０ａとを設け、前記制御手段１０ａは、前記加熱手段９による温風でふとん乾燥運転を開始すると、前記回転数検知手段７の情報によりＤＣファンモータ６の回転数を認識し、その回転数情報より予め記憶したＤＣファンモータ６の風量特性から送風量を推定して、ＤＣファンモータ６の回転数を制御して所定の風量にした後、その回転数が所定時間安定してから、ふとん乾燥運転の自動停止を制御する構成を有する。
【００３３】
上記構成において、ふとん乾燥運転開始時には、前記制御手段１０ａは前記加熱手段９と前記回転数制御手段８により、ＤＣファンモータ６を回転させて所定の風量で温風運転する。
【００３４】
図２はＤＣファンモータ６のシロッコファン搭載の風量に対する静圧や回転数特性を示している。
【００３５】
ＤＣファンモータ６の静圧は伸縮自在ホース  から乾燥マット５やその乾燥マット５の上に載るふとん４ａの重さに影響され、乾燥マット５が十分膨らまない時やふとん４ａが重たい場合は静圧が高く、風量は低下する傾向になる。
【００３６】
そして、ＤＣファンモータ６の風量−静圧特性７０のカーブと、伸縮自在ホース３から乾燥マット５より送風される時の風路抵抗特性８０のカーブの交点Ａ０が、その時の送風される風量Ｑ０となる。
【００３７】
また、風量−回転数特性９０のカーブより、その時の風量Ｑ０に対する回転数はＮ０となる相関がある。
【００３８】
この相関特性を利用して、制御手段１０ａは回転数検知手段７の情報によりＤＣファンモータ６の回転数を認識し、その回転数情報より予め記憶した前記ＤＣファンモータ６の風量特性から送風量を推定することができる。
【００３９】
図３において、乾燥マット５が十分膨らまない時やふとん４ａが重たい場合は静圧が高くなる傾向で、その時の風路抵抗特性のカーブは風路抵抗特性８０から風路抵抗特性８１となり、ＤＣファンモータ６の風量−静圧特性７０のカーブとの交点Ａ１となる。
【００４０】
この交点Ａ１より、風量はＱ１となり、風量−回転数特性９０のカーブとの交点より回転数はＮ１となる。
【００４１】
これにより、制御手段１０ａは回転数検知手段７の情報によりＤＣファンモータ６の回転数をＮ１と認識し、その回転数情報より予め記憶したＤＣファンモータ６の風量特性から送風量をＱ１と推定する。
【００４２】
そして、この風量Ｑ１が所定の風量に達しない場合、乾燥マット５が十分膨らまない時やふとん４ａが重たいことで静圧が高く、ふとん乾燥が十分できる温風を送風できず、ふとん４の乾燥むらが発生し易いと制御手段１０ａは判断し、制御手段１０ａは回転数制御手段８によりＤＣファンモータ６の最大能力まで回転数を制御して風量を最大に上げる。
【００４３】
また、一般的には回転数制御手段８として、ＤＣモータの回転数を変える方法には、ＤＣファンモータ６に印加する電圧値を可変するＰＡＭ方式や印加する電圧値は一定でその電圧印加時間を間欠にするＰＷＭ方式が知られ、どちらの方式でもＤＣファンモータ６の風量−静圧特性のカーブは前記ＤＣファンモータ６の印加電圧で異なり、そのため同じ風路抵抗でも風量の可変が可能であり、その時の回転数も相関があるようになる。
【００４４】
具体的には回転数制御手段８によりＤＣファンモータ６の最大能力まで印加電圧を上げることで、ＤＣファンモータ６の風量−静圧特性７１のカーブとなり、風路抵抗特性８１のカーブとの交点Ａ２となり、その時の風量Ｑ２による風量−回転数特性９１のカーブより回転数はＮ２となる。
【００４５】
こうして、制御手段１０ａは回転数検知手段７の情報によりＤＣファンモータ６の回転数がＮ２と認識し、その回転数情報より予め記憶したＤＣファンモータ６の静圧特性から送風量をＱ２と推定する。
【００４６】
このことで、送風される風量はＱ１からＱ２に増えることで、乾燥マット５の膨らみが改善されることになる。
【００４７】
図４において、その後は温風運転によりふとん４が膨らみ、湿気が徐々に減ると、伸縮自在ホース３から乾燥マット５より送風される静圧が軽くなることで、風路抵抗特性８１のカーブは風路抵抗特性８２のカーブに徐々に移行することとなり、ＤＣファンモータ６の風量−静圧特性７１のカーブとの交点Ａ３となり、その時の風量Ｑ３による風量−回転数特性９１のカーブより回転数はＮ３となる。
【００４８】
そのため、ＤＣファンモータ６の静圧が徐々に軽くなることで、その回転数も変化し、制御手段１０ａは回転数検知手段７により回転数の変化を認識し、その回転数が所定時間の安定を確認すると、送風量が安定したと判断する。
【００４９】
そして、所定の時間経過後はふとん乾燥運転が十分できたと判断して、運転を自動で停止させる。
【００５０】
これにより、ふとん４の間に入れられた乾燥マット５の先端まで膨らましてふとん４の局所加熱を抑えて、ふとん４の乾燥むらが起こりにくく、所定の温風量と時間で乾燥運転を自動停止することで無駄な乾燥運転も減らし、省エネルギーにすることができる。
【００５１】
また、伸縮自在ホース３の先端に高価なセンサーが不要となる。
【００５２】
（実施の形態２）
図１において、前記実施例１と同様の構成要素については同一の符号を付し、その詳細な説明は省略する。
【００５３】
ふとん乾燥運転開始時に所定の時間は加熱手段９を止め、ＤＣファンモータ６だけの送風運転をする制御手段１０ｂとを設けた構成を有する。
【００５４】
上記構成において、制御手段１０ｂは、ふとん乾燥運転での消費電力が最も大きい前記加熱手段９を運転開始時に所定の時間止め、ＤＣファンモータ６だけの送風運転でふとん乾燥を所定の時間運転することで、ふとん４の乾燥をさせる。
【００５５】
所定の時間経過後、前記制御手段１０ｂは前記加熱手段９によりＤＣファンモータ６の送風を加熱して温風を供給し、所定の時間経過後はふとん乾燥運転が十分できたと判断して、運転を自動で停止させる。
【００５６】
一般家庭用での温風でのふとん乾燥機においては、ファンモータと加熱手段９がほとんどの電力を消費し、なかでもファンモータをＤＣファンモータ６にすると加熱手段９が消費の大半になる。
【００５７】
また、ふとん４の湿気を取るのには温風を最初から送風することが最適だが、ふとん乾燥開始時にある程度の湿気を取るには、温風を使わず送風のみでも可能で、送風だけでは十分乾かなくなると温風に切替えることで十分なふとん乾燥を実現し、温風時間の削減が可能となる。
【００５８】
こうして、運転開始時に消費電力が少ない送風運転でふとん乾燥を進め、その後温風運転でふとん４を十分乾燥させるので、さらなる省エネルギーが可能になる。
【００５９】
（実施の形態３）
図１において、前記実施例１と同様の構成要素については同一の符号を付し、その詳細な説明は省略する。
【００６０】
回転数検知手段７の情報により、予め記憶したＤＣファンモータ６の風量特性から所定の風量以上の場合に、ＤＣファンモータ６の回転数を所定の回転数に制御する制御手段１０ｃとを設けた構成を有する。
【００６１】
上記構成において、図５のＤＣファンモータ６の風量に対する静圧や回転数特性に示すように、風路抵抗特性８３のカーブと風量−静圧特性７０のカーブとの交点Ａ４により、風量はＱ４となり、風量−回転数特性９０のカーブとの交点より回転数はＮ４となる。
【００６２】
運転開始時に制御手段１０ｃは回転数検知手段７の情報により、回転数をＮ４と認識し、その回転数情報より予め記憶した前記ＤＣファンモータ６の風量特性から送風量をＱ４と推定し、所定の回転数以下の場合には所定の風量以上が出ていると推定する。
【００６３】
これはＤＣファンモータ６の静圧が軽い場合で、ふとん４の間に入れられた乾燥マット５がふとん４から大きくはみ出た状態またはふとん４が薄くて軽い状態が想定される。
【００６４】
また、ふとん乾燥においては所定風量以上でふとん乾燥すると、温風によりふとん４の温度が上がり過ぎ、ふとん４を傷める可能性がある。
【００６５】
そのため、制御手段１０ｃは回転数制御手段８によりＤＣファンモータ６の回転数を制御して所定の風量に下げる。
【００６６】
具体的には回転数制御手段８によりＤＣファンモータ６の印加電圧を下げることで、ＤＣファンモータ６の風量−静圧特性７２のカーブとなり、風路抵抗特性８３のカーブとの交点Ａ５より、その時の風量はＱ５、その風量Ｑ５より風量−回転数特性９２のカーブより回転数はＮ５となる。
【００６７】
こうして、制御手段１０ａは回転数検知手段７の情報によりＤＣファンモータ６の回転数がＮ５と認識し、その回転数情報より予め記憶したＤＣファンモータ６の風量特性から送風量がＱ４からＱ５になったことを推定する。
【００６８】
このことで、回転数制御手段８によりＤＣファンモータ６の回転を所定の風量まで下げることになるので、所定風量以上でふとん乾燥すると温風によりふとん４の温度が上がり過ぎ、ふとん４を傷めることの防止ができるという効果を奏する。
【００６９】
（実施の形態４）
図１において、前記実施例１と同様の構成要素については同一の符号を付し、その詳細な説明は省略する。
【００７０】
使用者に報知する報知手段１１と、回転数検知手段７の情報により、予め記憶したＤＣファンモータ６の風量特性から所定の風量以下の場合に、ＤＣファンモータ６の送風量が限界と判断し、報知手段１１により使用者に報知する制御手段１０ｄとを設けた構成を有する。
【００７１】
上記構成において、図６のＤＣファンモータ６の風量に対する静圧や回転数特性に示すように、回転数制御手段８による最大風量を得られる風量−静圧特性７１のカーブと風路抵抗特性８４のカーブとの交点Ａ６により風量はＱ６となり、風量−回転数特性９１のカーブとの交点より回転数はＮ６となる。
【００７２】
そのため、制御手段１０ｄは回転数検知手段７の情報により、ＤＣファンモータ６の回転数がＮ６と認識し、その回転数情報より予め記憶したＤＣファンモータ６の風量特性から送風量がＱ６と推定する。
【００７３】
そして、制御手段１０ｄはこの風量Ｑ６より静圧が高く、ＤＣファンモータ６の送風量の限界と推定し、ふとん乾燥に必要な所定の風量が出ていないと判断すると、報知手段１１により使用者に知らせる。
【００７４】
この報知手段１１により所定の温風量が確保できないことを使用者が認識することで、使用者が再度乾燥マットやふとんの設定を見直すことで、所定の温風量を確保してふとん乾燥ができるという効果を奏する。
【産業上の利用可能性】
【００７５】
本発明にかかるふとん乾燥機は、ファンモータの風量特性から回転数を制御して、その回転数が所定時間安定してから、ふとん乾燥を自動で停止するので、ふとんの間に入れられた乾燥マットの先端まで膨らましてふとんの局所加熱を抑えて、ふとんの乾燥むらが起こりにくくするものであるので、所定の温風量と時間で乾燥運転を自動停止することで無駄な乾燥運転を減らして省エネルギーになるふとん乾燥機等として有用である。
【符号の説明】
【００７６】
１      ふとん乾燥機
２      本体
３      伸縮自在ホース
５      乾燥マット
６      ＤＣファンモータ
７      回転数検知手段
８      回転数制御手段
９      加熱手段
１０ａ  制御手段
１０ｂ  制御手段
１０ｃ  制御手段
１０ｄ  制御手段
１１    報知手段
【図１】
2013215256.tif 000003
【図２】
2013215256.tif 000004
【図３】
2013215256.tif 000005
【図４】
2013215256.tif 000006
【図５】
2013215256.tif 000007
【図６】
2013215256.tif 000008
【図７】
2013215256.tif 000009